(57)【要約】【課題】複数本の光伝送線の余長を収納する場合に、個々の光伝送線の引き出し長さを容易に調整できるようにする。積層厚さを薄くして小型化する。【解決手段】中心部に開口部３４を有する鍔板３６の上面に環状の巻き胴３８を突設し、前記鍔板３６及び巻き胴３８に、鍔板の開口部３４から巻き胴３８を超えて巻き胴３８の外側の鍔板３６の内周部にまで達する切欠き部４０を形成してなるリール単体３２を用いる。このリール単体３２を複数枚、前記切欠き部４０を周方向に順次ずらして、かつ上下に隣り合う鍔板３６の間隔を光伝送線３が１本だけ入る間隔に保って積層する。各層毎に鍔板３６の開口部３４から導入された光伝送線３を、前記切欠き部４０を通して巻き胴３８の外側に引き出し、巻き胴３８の周りに渦巻き状に巻いて収納する。【選択図】図１
2007121364.tif 000002
【特許請求の範囲】
【請求項１】
中心部に開口部を有する鍔板の片面又は両面に環状の巻き胴を突設し、前記鍔板及び巻き胴に、鍔板の開口部から巻き胴を超えて巻き胴の外側の鍔板の内周部にまで達する切欠き部を形成してなるリール単体を複数枚、前記切欠き部を周方向に順次ずらして、かつ隣り合う鍔板の間隔を光伝送線が１本だけ入る間隔に保って、積層したことを特徴とする光伝送線余長収納用積層リール。
【請求項２】
各リール単体の、鍔板の一方の面の巻き胴の内側に相当する位置には、周方向に所定の間隔をおいて複数の筒部が形成され、鍔板の他方の面の前記筒部から周方向に所定角度だけずれた位置には、前記筒部に嵌合する棒状突起が形成されており、リール単体を前記筒部と棒状突起を嵌合させて複数枚積層すると、各層の切欠き部が周方向に前記所定角度ずつ順次ずれるようになっていることを特徴とする請求項１記載の光伝送線余長収納用積層リール。
【請求項３】
各リール単体の、鍔板の片面又は両面の外周部に、周方向に適当な間隔をおいて、鍔板の間隔よりも高さの低い凸部が形成されていることを特徴とする請求項１又は２記載の光伝送線余長収納用積層リール。
【請求項４】
光スプリッタを収納する光スプリッタ収納ケースの上に、請求項１ないし３のいずれかに記載の光伝送線余長収納用積層リールを設置し、光スプリッタで分岐された複数本の光伝送線が個別に、前記光伝送線余長収納用積層リールの鍔板の間に渦巻き状に巻いて収納されるようになっていることを特徴とする光伝送線余長収納用積層リール付き光スプリッタ収納ケース。
【発明の詳細な説明】
【技術分野】
【０００１】
本発明は、複数本の光伝送線（光ファイバコード又は光ファイバ心線等）の余長を個別に収納する光伝送線余長収納用積層リールと、この光伝送線余長収納用積層リールを備えた光スプリッタ収納ケースに関するものである。
【背景技術】
【０００２】
従来、複数本の光伝送線の余長を個別に収納するものとしては、個々の光伝送線の余長をループ状に丸めて収納する余長収納ケースを複数枚積層してなる積層型余長収納ケースが公知である（特許文献１参照）。
【０００３】
【特許文献１】特許第３３４０５８２号公報
【発明の開示】
【発明が解決しようとする課題】
【０００４】
従来の積層型余長収納ケースは、１枚１枚の余長収納ケースに光伝送線をループ状に丸めて収納するため、個々の余長収納ケースは、光伝送線の重なり部や交差部などを収納できるだけの深さが必要であり、光伝送線の外径に比べケースの厚さが大幅に厚くなっていた。したがって、そのような余長収納ケースを複数枚積層して構成される積層型余長収納ケースは、当然のことながら積層厚さが厚くなり、全体として大型で、嵩ばるという難点があった。
【０００５】
また、図８に示すような、光スプリッタ１で１本の光伝送線２を複数本の光伝送線３に分岐する箇所の余長収納部などでは、支線側の複数本の光伝送線３の余長を個別に余長収納部に収納しておいて、余長収納部からの光伝送線３の引き出し長さを個別に調整できるようにしたいという要求がある。これは、個々の光伝送線３によって、余長収納部からコネクタ５の接続先までの距離が異なる場合があるからである。しかし従来の積層型余長収納ケースでは、収納された光伝送線を個別に引き出したり、再収納したりするためには、その都度、余長収納ケースを開閉しなければならず、光伝送線の引き出し長さの調整作業が面倒である。なお、図８において、４は幹線側の光伝送線２に取り付けられたコネクタである。
【０００６】
本発明の目的は、個々の光伝送線の引き出し長さを容易に調整することができ、しかも積層厚さを従来よりも大幅に薄くできる光伝送線余長収納用積層リールと、この光伝送線余長収納用積層リールを備えた光スプリッタ収納ケースを提供することにある。
【課題を解決するための手段】
【０００７】
本発明に係る光伝送線余長収納用積層リールは、中心部に開口部を有する鍔板の片面又は両面に環状の巻き胴を突設し、前記鍔板及び巻き胴に、鍔板の開口部から巻き胴を超えて巻き胴の外側の鍔板の内周部にまで達する切欠き部を形成してなるリール単体を複数枚、前記切欠き部を周方向に順次ずらして、かつ隣り合う鍔板の間隔を光伝送線が１本だけ入る間隔に保って、積層したことを特徴とするものである。
【０００８】
本発明に係る光伝送線余長収納用積層リールは、各リール単体の、鍔板の一方の面の巻き胴の内側に相当する位置に、周方向に所定の間隔をおいて複数の筒部が形成され、鍔板の他方の面の前記筒部から周方向に所定角度だけずれた位置に、前記筒部に嵌合する棒状突起が形成されており、リール単体を前記筒部と棒状突起を嵌合させて複数枚積層すると、各層の切欠き部が周方向に前記所定角度ずつ順次ずれるようになっているものであることが好ましい。
【０００９】
また本発明に係る光伝送線余長収納用積層リールは、各リール単体の、鍔板の片面又は両面の外周部に、周方向に適当な間隔をおいて、鍔板の間隔よりも高さの低い凸部が形成されていることが好ましい。
【００１０】
また本発明に係る光伝送線余長収納用積層リール付き光スプリッタ収納ケースは、光スプリッタを収納する光スプリッタ収納ケースの上に、前記のような光伝送線余長収納用積層リールを設置し、光スプリッタで分岐された複数本の光伝送線が個別に、前記光伝送線余長収納用積層リールの鍔板の間に渦巻き状に巻いて収納されるようになっていることを特徴とするものである。
【発明の効果】
【００１１】
本発明に係る光伝送線余長収納用積層リールは、各層のリール単体に、鍔板の開口部から巻き胴の外側の鍔板の内周部にまで達する切欠き部が形成され、各層の切欠き部は周方向に順次位置をずらしてあるため、各層毎に鍔板の開口部から導入された光伝送線を、前記切欠き部を通して巻き胴の外側に引き出し、巻き胴の周りに渦巻き状に巻いて収納することができる。また、積層方向に隣り合う鍔板の間隔は光伝送線が１本だけ入る間隔に保たれているため、巻き胴の周りに光伝送線を巻くときに光伝送線が重なることがなく、一平面内で光伝送線を何周にも巻くことができる。したがって一層当たりの厚さを従来よりも大幅に薄くでき、このため余長収納用積層リール全体の厚さを従来の積層型余長収納ケースよりも大幅に薄くできるので、大幅な小型化が可能である。さらに、各層に巻き込む形で収納された光伝送線は、他層の光伝送線とは無関係に、巻き戻して引き出したり、再び巻き込んだりすることができるので、個々の光伝送線の引き出し長さの調整を容易に行うことができる。
【００１２】
また、各リール単体に、前述のように周方向に所定角度だけ位置をずらして筒部と棒状突起を設けておけば、複数枚のリール単体を、筒部と棒状突起を嵌合させて順次積層するだけで、各層の切欠き部を確実に周方向に順次所定角度ずつずらして配置することができる。
【００１３】
また、鍔板の外周部に、鍔板の間隔よりも高さの低い凸部を形成しておけば、鍔板の間に巻き込んだ光伝送線が積層リール外に飛び出すのを防止でき、光伝送線の引き出し長さを安定に保持することができる。
【００１４】
また本発明に係る光伝送線余長収納用積層リール付き光スプリッタ収納ケースは、光スプリッタで分岐された複数本の光伝送線を個別に渦巻き状に巻いて収納できると共に、収納された各光伝送線の引き出し長さの調整を個別に簡単に行うことができる。
【発明を実施するための最良の形態】
【００１５】
図１は本発明に係る光伝送線余長収納用積層リール付き光スプリッタ収納ケースの一実施形態を示す分解斜視図である。図において、１０は光スプリッタ収納ケース、１２はその上に設置される光伝送線余長収納用積層リールである。
【００１６】
光スプリッタ収納ケース１０は、図２に示すように、ケース本体１４と蓋体１６とから構成される。ケース本体１４は底板１８の周辺に外周壁２０を一体に形成したものである。ケース本体１４のコーナー部には、外周壁２０の一部を切り欠いて幹線側の光伝送線の導入部２２が形成されている。蓋体１６は、この例ではケース本体１４のほぼ４分の３周を覆う形に形成されている。蓋体１６の内周縁には下向きに内周壁２４が形成されている。蓋体１６には、内周壁２４の一部を切り欠いて支線側の光伝送線の導出部２６が形成されている。
【００１７】
ケース本体１４と蓋体１６とは、ケース本体１４の底板１８上に突設した筒部２８の穴２８ａに、蓋体１６の下面に突設した棒状突起３０を嵌合させることにより、図１のように組み合わされて、光スプリッタ収納ケース１０を構成する。光スプリッタ収納ケース１０には光スプリッタ１が収納される。光スプリッタ１の幹線側の光伝送線２は導入部２２から収納ケース１０内に導入され、支線側の複数本の光伝送線３は導出部２６から収納ケース１０外に導出される。
【００１８】
一方、光伝送線余長収納用積層リール１２は、図３に示すようなリール単体３２を複数枚積層して構成される。リール単体３２は、中心部に開口部３４を有する鍔板３６の上面に環状の巻き胴３８を突設し、前記鍔板３６及び巻き胴３８に開口部３４側から切欠き部４０を形成したものである。切欠き部４０は、鍔板３６の開口部３４の縁から、巻き胴３８を超えて、巻き胴３８の外側の鍔板３６の内周部にまで達している。
【００１９】
また、鍔板３６の上面の、巻き胴３８の内側に相当する位置には、周方向に所定の間隔をおいて複数の（図示の例では３個の）筒部４２が突設されており、かつ鍔板３６の下面の、前記筒部４２から周方向に所定角度θだけずれた位置には、前記筒部４２の穴４２ａに嵌合する棒状突起４４が形成されている。
【００２０】
リール単体３２を積層するときは、下層側のリール単体３２の上面に形成された筒部４２の穴４２ａに、上層側のリール単体３２の下面に形成された棒状突起４４を嵌合させて、順次積層していく。すると、リール単体３２の切欠き部４０が、１層毎に周方向に前記所定角度θずつ順次ずれていって、最終的には図６に示すように、切欠き部４０が最下層から最上層まで階段状に連続するようになる。
【００２１】
リール単体３２を複数枚積層したときの、上下に隣り合う鍔板３６の間隔は、鍔板３６上面からの巻き胴３８の高さによって決まる。つまり巻き胴３８は、鍔板３６の間隔を設定するスペーサとしての役割も果たしている。鍔板３６の間隔は、光伝送線が１本だけ入る間隔に保たれる。そのためには、巻き胴３８の高さを、光伝送線３の外径の１〜１．２倍程度に設定するとよい。なお鍔板３６の間隔は、筒部４２の高さで設定することも可能である。その場合は、巻き胴３８の高さを、光伝送線３の外径の１倍未満にすることもできる。
【００２２】
各リール単体３２の、鍔板３６の上面（下面でも可）の外周部には、周方向に適当な間隔をおいて、鍔板３６の間隔（鍔板３６の高さ）よりも高さの低い凸部４６が形成されている。この凸部４６は、鍔板３６の間に巻き込んだ光伝送線が積層リール外に飛び出すのを防ぐためのものである。
【００２３】
また、光スプリッタ収納ケース１０の蓋体１６には、リール単体３２の下面の棒状突起４４が嵌合する穴４８が形成されている（図１及び図２参照）。
【００２４】
次に、この実施形態の光伝送線余長収納用積層リール付き光スプリッタ収納ケースの組立手順について説明する。図１は、光スプリッタ収納ケース１０の導入部２２から幹線側の光伝送線２を導入し、収納ケース１０内に光スプリッタ１を収納し、収納ケース１０の導出部から支線側の光伝送線３を導出した状態を示している。図１では支線側の光伝送線３を２本だけ示して他の光伝送線の図示を省略したが、支線側の光伝送線３の本数は光スプリッタ１の分岐数と同数である（８分岐の場合は８本）。各光伝送線３の先端にはコネクタ５が取り付けられている。幹線側の光伝送線２の基端にもコネクタ４が取り付けられている。
【００２５】
図１の実施形態は、８分岐の場合であり、この場合は９枚のリール単体３２が用意される。まず下から１枚目のリール単体３２の開口部３４に下から上へコネクタ５の付いた１本目の光伝送線３を通した後、その光伝送線３を切欠き部４０に引き込んで巻き胴３８の外側に引き出す。図１では、巻き胴３８の外側に引き出した光伝送線３を巻き胴３８の周りにほぼ１周巻いた状態を示してあるが、この段階では光伝送線３を、巻き胴３８の周りに巻かずに、巻き胴３８の外側に引き出しただけの状態にしておいてもよい。
【００２６】
次に、２本目の光伝送線３を、下から１枚目と２枚目のリール単体３２の開口部３４に通した後、その光伝送線３を２枚目のリール単体３２の切欠き部４０に引き込んで巻き胴３８の外側に引き出す。次に３本目の光伝送線（図示省略）を、下から１枚目と２枚目と３枚目のリール単体３２の開口部３４に通した後、その光伝送線３を３枚目のリール単体３２の切欠き部４０に引き込んで巻き胴３８の外側に引き出す。このようにして、１本目から８本目までの光伝送線３をそれぞれ、１枚目から８枚目までのリール単体３２の巻き胴３８の外側に引き出ておく。
【００２７】
その後、図４に示すように、１枚目のリール単体３２を光スプリッタ収納ケース１０上に取り付ける。この取り付けは、リール単体３２の下面に突出している棒状突起４４を、収納ケース１０の蓋体１６の穴４８に嵌合させることにより行う。次に図５に示すように、１枚目のリール単体３２上に２枚目のリール単体３２を積層する。この積層は、１枚目のリール単体３２の上面に突設された筒部４２の穴４２ａに、２枚目のリール単体３２の下面に突出している棒状突起４４を嵌合させることにより行う。１枚目のリール単体３２上に２枚目のリール単体３２を積層すると、１本目の光伝送線３が１枚目と２枚目の鍔板３６、３６の間から外部に引き出された状態となる。
【００２８】
また、１枚目のリール単体３２上に２枚目のリール単体３２を積層すると、２枚目のリール単体３２は１枚目のリール単体３２に対し周方向に角度θだけずれる。これは、図３で説明したように、棒状突起４４の位置を筒部４２から周方向に所定角度θだけずらしてあるからである。その結果、２枚目のリール単体３２の切欠き部４０が、１枚目のリール単体３２の切欠き部４０から角度θだけ光伝送線引き出し方向にずれるため、２本目の光伝送線３が、１枚目と２枚目の切欠き部４０を通って、無理に曲げられることなく、２枚目のリール単体３２の巻き胴３８の外側へ引き出される状態にすることができる。
【００２９】
以下、同様にして３枚目から８枚目までのリール単体３２を積層し、最後に光伝送線が通されていない９枚目のリール単体３２を積層すると、図６のような積層リール１２が完成する。図６では、支線側の光伝送線３を１本だけ示してあるが、実際には、各鍔板３６の間から光伝送線３が引き出されている。この後、各光伝送線３の余長を鍔板３６の間に巻き込んで収納する。このようにして積層リール１２内に収納された８本の光伝送線３の状態は図７のようになる。すなわち、個々の光伝送線３の余長は、上下の鍔板３６の間で巻き胴３８の周りに渦巻き状に巻かれて収納されている。
【００３０】
鍔板３６の間隔は光伝送線３が１本だけ入る間隔に保たれているため、巻き胴３８の周りに光伝送線３を巻くときに光伝送線が重なることはなく、一平面内で光伝送線を何周にも巻くことができる。したがって一層当たりの厚さを従来よりも大幅に薄くでき、このため余長収納用積層リール１２全体の厚さを従来の積層型余長収納ケースよりも大幅に薄くできる。さらに、鍔板３６の間に巻き込む形で収納された光伝送線３は、他層の光伝送線３とは無関係に、巻き戻して引き出したり、再び巻き込んだりすることができるので、個々の光伝送線３の引き出し長さの調整を容易に行うことができる。
【００３１】
また、鍔板３６の外周部には凸部４６が形成されているので、鍔板３６の間に巻き込んだ光伝送線３が飛び出すのを防止でき、光伝送線３の引き出し長さを安定に保持することができる。なお、凸部４６と、その向かい側の鍔板３６との間隔は、光伝送線３の外径よりも狭くなっているが、光伝送線３を巻き込んだり、引き出したりするときは、鍔板３６が撓んで上記間隔が拡がるので支障はない。
【００３２】
以上の実施形態では、光伝送線余長収納用積層リールを光スプリッタ収納ケースと組み合わせて使用する場合を説明したが、光伝送線余長収納用積層リールは複数本の光伝送線を個別に収納する用途に使用可能であり、例えば光ファイバ心線接続部収納ケースなどに組み込んで使用することもできる。
【００３３】
また上記の実施形態では、光伝送線３の先端にコネクタ５が取り付けられているため、１層毎に光伝送線を巻き胴の外側へ引き出してからリール単体を積層して、積層リールを組み立てていったが、コネクタの付いていない光伝送線を収納するのであれば、複数枚のリール単体を積層して積層リールを組み立てた後に、下層側から順次、光伝送線を切欠き部に通して巻き胴の外側へ引き出し、鍔板の間に巻き込むことも可能である。
【図面の簡単な説明】
【００３４】
【図１】本発明に係る光伝送線余長収納用積層リール付き光スプリッタ収納ケースの一実施形態を示す分解斜視図。
【図２】図１の実施形態における光スプリッタ収納ケースの分解斜視図。
【図３】図１の実施形態における光伝送線余長収納用積層リールを構成するリール単体を示す、（Ａ）は平面図、（Ｂ）は正面図、（Ｃ）は底面図。
【図４】図１の状態から１枚目のリール単体を光スプリッタ収納ケース上に組み付けた状態を示す斜視図。
【図５】図４の状態から２枚目のリール単体を１枚目のリール単体上に積層した状態を示す斜視図。
【図６】図４の状態からさらに３枚目以降のリール単体を順次積層していって積層リールを完成させた状態を示す斜視図。
【図７】積層リール内の光伝送線の余長の収納状態を示す説明図。
【図８】光スプリッタと光伝送線の接続状態を示す説明図。
【符号の説明】
【００３５】
１：光スプリッタ
２：幹線側の光伝送線
３：支線側の光伝送線
４：幹線側のコネクタ
５：支線側のコネクタ
１０：光スプリッタ収納ケース
１２：光伝送線余長収納用積層リール
１４：ケース本体
１６：蓋体
３２：リール単体
３４：開口部
３６：鍔板
３８：巻き胴
４０：切欠き部
４２：筒部
４４：棒状突起
４６：凸部
【図１】
2007121364.tif 000003
【図２】
2007121364.tif 000004
【図３】
2007121364.tif 000005
【図４】
2007121364.tif 000006
【図５】
2007121364.tif 000007
【図６】
2007121364.tif 000008
【図７】
2007121364.tif 000009
【図８】
2007121364.tif 000010